(57)【要約】【課題】信号受信時の受信状態の良否判定をより確実にすることが可能なＦＰＵリモコンシステムを提供する。【解決手段】受信装置２０が備えるＯＦＤＭ受信装置２２でもって受信される受信電波の伝搬状態を、ＯＦＤＭ受信装置に接続される被制御装置２３で、ＯＦＤＭ遅延波信号をデジタル信号に変換し圧縮したデジタル信号にしてから制御装置３１に伝送し、制御装置では圧縮したデジタル信号を伸長してから制御装置が備える画面上にＯＦＤＭ遅延波信号の波形として表示する。【選択図】  図１
2004357112.tif 000002
【特許請求の範囲】
【請求項１】
映像信号を送信する送信装置と、送信された信号を受信アンテナで受信する受信装置と、前記受信アンテナの受信方向をリモートコントロールする制御装置とを有するＦＰＵリモコンシステムにおいて、前記受信装置が備えるＯＦＤＭ受信装置でもって受信される受信電波の伝搬状態を、前記ＯＦＤＭ受信装置に接続される被制御装置で、ＯＦＤＭ遅延波信号をデジタル信号に変換し圧縮したデジタル信号にしてから前記制御装置に伝送し、前記制御装置では前記圧縮したデジタル信号を伸長してから前記制御装置が備える画面上にＯＦＤＭ遅延波信号の波形として表示することを特徴とするＦＰＵリモコンシステム。
【発明の詳細な説明】
【０００１】
【発明の属する技術分野】
本発明は、映像信号を送信する送信装置と、送信された信号を受信アンテナで受信する受信装置と、前記受信アンテナの受信方向をリモートコントロールする制御装置とを有するＦＰＵ（Ｆｉｅｌｄ  Ｐｉｃｋ−ｕｐ  Ｕｎｉｔ）リモコンシステムに関する。
【０００２】
【従来の技術】
従来、映像信号を放送する放送局などでは、放送するニュース番組などで使用する映像素材をテレビジョンカメラ等で撮影して得、その得られた映像素材をマイクロ波で中継車などから送信して、その送信電波を受信基地局（例えば、見通しのよい山頂などに設置された受信設備であって、通常は回転式アンテナがあり、その周囲一円からの受信が可能にされている）で受信され、その受信電波の放送素材を専用ＴＳＬ回線によって本社スタジオへ伝送し、そこで収録または放送される。
【０００３】
ここで、従来からあるアナログ方式のＦＰＵリモコンシステムの場合、受信基地局の受信状態は、受信電界の強弱を表すためのメータが、例えば、本社の制御装置であるパソコンのＣＲＴ上に表示されて、操作者がその表示を見て良否判定する方式としていた。
【０００４】
一方、地上波デジタル放送として、近年開発されてきている放送方式に用いるデジタル信号受信方式のＦＰＵリモコンシステムでは、受信電界の強弱を表すメータだけでは、受信状態の良否判定を正確に行うことはできない。
【０００５】
図７は、従来の技術に関わるＦＰＵリモコンシステムにおけるリモートコントロール制御装置の画面の例を示す図である。この図において、１０１はＦＰＵリモコンシステムにおけるリモートコントロール制御装置の例のパソコン上の画面で、受信基地局の回転台や受信機の電源・周波数を制御操作する。１０２は受信基地局付近の地域地図表示である。１０３は真北を０度としたときの地図表示１０２上において、受信装置の回転アンテナの向きを表す線である。１０４は、受信基地局の回転アンテナで受信された電波の受信電界強度を表すメータである。通常、操作者はこのメータ１０４を見ながら回転アンテナを動かし受信電界が最も強い方向へ調整する（例えば、特許文献１参照）。
【０００６】
【特許文献１】
特開２００３−７８４６７号公報
【０００７】
【発明が解決しようとする課題】
しかしながら、電波反射による伝送状態の悪化により悪影響を受けやすいデジタル方式のリモコンシステムにおいては、受信電界が強かったとしても電波反射の影響で受信断となることがあるため、良否判定する上で必要となる電波反射状況を必ずしも確認することはできない。
【０００８】
本発明の目的は、信号受信時の受信状態の良否判定をより確実にすることが可能なＦＰＵリモコンシステムを提供することにある。
【０００９】
【課題を解決するための手段】
本発明は、映像信号を送信する送信装置と、送信された信号を受信アンテナで受信する受信装置と、前記受信アンテナの受信方向をリモートコントロールするリモートコントロールする制御装置とを有するＦＰＵリモコンシステムにおいて、前記受信装置が備えるＯＦＤＭ受信装置でもって受信される受信電波の伝搬状態を、前記ＯＦＤＭ受信装置に接続される被制御装置で、ＯＦＤＭ遅延波信号をデジタル信号に変換し圧縮したデジタル信号にしてから前記制御装置に伝送し、前記制御装置では前記圧縮したデジタル信号を伸長してから前記制御装置が備える画面上にＯＦＤＭ遅延波信号の波形として表示することを特徴とするＦＰＵリモコンシステムである。
【００１０】
【発明の実施の形態】
以下、本発明の実施の形態について、図を用いて説明する。
【００１１】
図１は、本発明のＦＰＵリモコンシステムの実施の形態の構成を示す図である。移動体例えば車１０と山頂などに設置された基地局（固定局）２０と本社スタジオ３０からなる。
【００１２】
移動体１０は、放送するニュース番組などで使用する映像素材を撮像するテレビジョンカメラ１１と、撮像した映像素材をマイクロ波にするＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）変調信号に変え且つ送信信号を生成するＯＦＤＭ送信装置１２と、送信信号を送信する送信アンテナ１３を搭載している。
【００１３】
基地局（固定局）２０は、送信された信号を受信する回転アンテナ２１と、受信した信号から映像素材を再生するＯＦＤＭ受信装置２２と、ＯＦＤＭ受信装置２２から出力されるＯＦＤＭ遅延波信号およびＦＳＴパルス（ＯＦＤＭ遅延波信号の主波に同期したパルス）を入力して、ＯＦＤＭ遅延波信号をデジタル信号に変換し圧縮したデジタル信号にする信号処理を行う被制御装置２３を備えている。
【００１４】
本社スタジオ３０は、制御装置例えばパソコン３１を備え、制御装置３１は被制御装置２３とリモコン回線４０で接続されていて、制御装置３１が備える伸長装置で受信したＯＦＤＭ遅延波信号を伸長してから、制御装置３１が備える画面上にＯＦＤＭ遅延波信号の波形として表示する。
【００１５】
図２は、図１の被制御装置２３の構成を示す図である。被制御装置２３は、Ａ／Ｄ変換器２３１とＰＩＯ（入力並列インターフェース）２３２とインターフェース２３３とＣＰＵ２３４とメモリ２３５とＳＩＯ（出力直列インターフェース）２３６とモデム２３７からなる。
【００１６】
図３は、図１の被制御装置２３の動作フローを示す図である。
【００１７】
図４は、図１のＯＦＤＭ受信装置２２から出力されるＯＦＤＭ遅延波信号およびＦＳＴパルスを示す図である。ＯＦＤＭ遅延波信号２０１は、主波２０２と反射波２０３からなる。ＦＳＴパルス２０４は、主波２０２に同期したパルスである。
【００１８】
図２の被制御装置２３は、Ａ／Ｄ変換器２３１において、図１のＯＦＤＭ受信装置２２から出力されるＯＦＤＭ遅延波信号（相関アナログ信号）２０１のうち、ＰＩＯ（入力並列インターフェース）２３２を通して入力される，同じくＯＦＤＭ受信装置２２から出力されるＦＳＴパルス２０４のパルス変化の前１０ｍｓ及び後１５ｍｓの間を、ＣＰＵ２３４にて２００μｓ単位でＡ／Ｄ変換を行う（サンプリング数；２５ｍｓ÷２００μｓ≒１２５個）（図３のステップ３０１）。そしてメモリ２３５に蓄積する。
【００１９】
ここで、サンプリングした遅延波アナログデータ（１２５個）をリモコン回線で伝送しようとすると、伝送速度（４８００ｂｐｓ）及び伝送手順（無手順）によって時間がかかってしまう（１２５個×２（ＡＳＣＩＩ変換）＝２５０個、２５０個×２ｍｓ＝０．５ｓ）。
【００２０】
したがって、Ａ／Ｄ変換されたデータをそのまま伝送した場合には、監視データに悪影響を与える恐れがあり、また伝送時間が０．５ｓかかってしまうと、受信装置でデータを復元した場合０．５ｓの遅れが発生する。
【００２１】
このため、本発明の実施の形態では、サンプリングした遅延波データを圧縮する。ここで、圧縮方法はランレングス方式を用いる。
【００２２】
遅延波アナログデータは、図４に示すように主波２０２及び反射波２０３以外のレベル変動がほとんど無いため、Ａ／Ｄ変換された値が一定の値となる。
【００２３】
このため、ランレングス方式を用いることでこの一定の値部分を圧縮することが出来、伝送データ量を減少させることが可能となる。
【００２４】
しかし、主波２０２及び反射波２０３以外のレベルが変動した場合，ランレングス方式の圧縮方法であると、Ａ／Ｄ変換されたデータの最大２倍のデータになることが考えられる。
【００２５】
そこで，主波２０２及び反射波２０３以外のレベルの変動を考慮し，入力された変換データの移動平均を、図２のメモリ２３５で、ＣＰＵ２３４により算出する（図３のステップ３０２）。
【００２６】
図５は、図２の被制御装置において、入力された変換データを移動平均処理したデータを５０１に示す。これにより、主波及び反射波以外に多少のレベル変動が生じても、圧縮効率は低下しなくなる。
【００２７】
移動平均処理は、次の数１に示すように、過去の５回分（２００μｓ×５回＝１ｍｓ）のＡ／Ｄ変換値を平均して、算出する。
【００２８】
【数１】
2004357112.tif 000003
次に、移動平均したデータ５０１を、図２のメモリ２３５で、ＣＰＵ２３４によりランレングス方式にてデータを圧縮し（図３のステップ３０３）、図５の圧縮データ５０２にする。
【００２９】
ランレングス方式にてデータを圧縮した場合、次の数２に示すように、同一データの個数とそのデータの値とが並びとなるため、今回の遅延波信号のように連続したデータの場合圧縮率が高く、データを縮小できる。
【００３０】
【数２】
2004357112.tif 000004
なお、数２において、同一データの個数およびデータは、１６進法で示してある。
【００３１】
この圧縮したデータを、図２のＳＩＯ（出力直列インターフェース）２３６とモデム２３７を介して、データを出力し（図３のステップ３０４）、図１のリモコン回線４０１に一定間隔で送信する。送信方法は従来のベーシック手順にて送信する（１４個×２（ＡＳＣＩＩ変換）＝２８個，２８個×２ｍｓ＝５０ｍｓ）。
【００３２】
データを圧縮した場合，データが半減し送信時間も画期的に減少する。これによりリモコン回線に重畳させても他の監視項目に悪影響を与えることが少なくなる。
【００３３】
図１のリモコン回線４０１により伝送された圧縮したデジタル信号は、制御装置３１に入力され、制御装置３１が備える図示していない伸長器により伸長し、制御装置３１が備える画面上にＯＦＤＭ遅延波信号の波形として表示する。
【００３４】
図６は、図１の制御装置３１が備える画面の例を示す図である。図６において、６０１は図７の１０１と同様に、図１の制御装置３１の例のパソコン上の画面である。６０２、６０３、６０４はそれぞれ１０２、１０３、１０４と同様に、地図表示、回転アンテナの向きを表す線、受信電界強度メータである。６０５は、制御装置３１が備える図示していない伸長器により伸長して、図５の圧縮前のＯＦＤＭ遅延波信号５０１の波形と同じ波形となった波形を、グラフィック的に表示したＯＦＤＭ遅延波信号の波形である。
【００３５】
このＯＦＤＭ遅延波信号の波形６０５を、ＯＦＤＭ受信装置から出力されるＯＦＤＭ遅延波信号のデータに応じてリアルタイムに更新する。そうすることで、操作者は、受信電界強度のみならず、受信状態のうち、遅延波信号の波形により示される電波反射状況を確認しながら、その電波反射状況の良好な方向へ回転アンテナを向けることができる。
【００３６】
良否判定の手段は基本的には遅延波信号レベルの大小により目視確認により行うものであるが、遅延波信号の分布状態により判定を行うこともできる。ここで、遅延波信号がないことでもって、受信状態がよいことを表すものとする。
【００３７】
また、この遅延波信号レベルの表示は、比較的データ量が多いデータによるため、制御装置のパソコンのリモコン応答特性を低下させる恐れがあるが、それを防止するために、その表示の表示／非表示の切り換え設定を可能としてもよい。
【００３８】
以上説明したように本発明の実施の形態によれば、ＯＦＤＭ受信装置を設置した受信基地局における電波受信状態を、反射波の影響の有無を含めた形で確認することが可能となり、移動体に搭載した送信装置からの受信状態の良否判定作業を、より精度高く行うことが可能となる。
【００３９】
【発明の効果】
本発明によれば、信号受信時の受信状態の良否判定をより確実にすることが可能なＦＰＵリモコンシステムを得ることができる。
【図面の簡単な説明】
【図１】本発明のＦＰＵリモコンシステムの実施の形態の構成を示す図である。
【図２】図１の被制御装置の構成を示す図である。
【図３】図１の被制御装置の動作フローを示す図である。
【図４】図１のＯＦＤＭ受信装置から出力されるＯＦＤＭ遅延波信号およびＦＳＴパルスを示す図である。
【図５】図２の被制御装置において、入力された変換データを移動平均処理したデータおよびランレングス方式にて圧縮した圧縮データを示す図である。
【図６】図１の制御装置が備える画面の例を示す図である。
【図７】従来の技術に関わるＦＰＵリモコンシステムにおけるリモートコントロール制御装置の画面の例を示す図である。
【符号の説明】
１０：移動体、１１：テレビジョンカメラ、１２：ＯＦＤＭ送信装置、１３：送信アンテナ、２０：基地局（固定局）、２１：回転アンテナ、２２：ＯＦＤＭ受信装置、２３：被制御装置、２０１：ＯＦＤＭ遅延波信号、２０２：主波、２０３：反射波、２０４：ＦＳＴパルス、２３１：Ａ／Ｄ変換器、２３２：ＰＩＯ（入力並列インターフェース）、２３３：インターフェース、２３４：ＣＰＵ、２３５：メモリ、２３６：ＳＩＯ（出力直列インターフェース）、２３７：モデム、５０１：移動平均処理したデータ、５０２：圧縮データ、１０１，６０１：画面、１０２，６０２：地域地図表示、１０３，６０３：回転アンテナの向きを表す線、１０４，６０４：受信電界表示メータ、６０５：ＯＦＤＭ遅延波信号の波形。
【図１】
2004357112.tif 000005
【図２】
2004357112.tif 000006
【図３】
2004357112.tif 000007
【図４】
2004357112.tif 000008
【図５】
2004357112.tif 000009
【図６】
2004357112.tif 000010
【図７】
2004357112.tif 000011